(57)【要約】【課題】メダルを１枚ずつ開口部に投入することによる煩わしさを解消する遊技機を提供する。【解決手段】遊技機（１）は、筐体（２）と、筐体（２）の台座部（４）に形成されたメダル投入装置（１００）を備える。メダル投入装置（１００）は、複数のメダル（Ｃ）を同時に投入可能な上端開口部（１２１）と、複数同時に投入されたメダル（Ｃ）を１枚ずつ送出するメダル送出口（１０６）と、１枚ずつ送出されたメダル（Ｃ）の数を検出するメダルセンサ（１０７）と、を備える。【選択図】図２
2008113676.tif 000002
【特許請求の範囲】
【請求項１】
筐体と、
前記筐体に形成され、遊技媒体が投入される遊技媒体投入部と、を備えた遊技機であって、
前記遊技媒体投入部は、
複数の遊技媒体を同時に投入可能な開口部と、
前記開口部から複数同時に投入された遊技媒体の数を計数する計数手段と、を備えることを特徴とする遊技機。
【請求項２】
請求項１記載の遊技機において、
前記遊技媒体投入部は、
前記開口部から複数同時に投入された遊技媒体を貯留する遊技媒体貯留部を更に備え、
前記計数手段は、
前記遊技媒体貯留部の下端に設けられ、１の遊技媒体を収容する収容部が回転中心のまわりに環状に複数形成された遊技媒体収容板と、
前記遊技媒体収容板を前記回転中心を中心に回転させる回転駆動部と、
前記回転駆動部により前記遊技媒体収容板が回転することに応じて、前記収容部に収容された遊技媒体を前記筐体の内部に送出する送出部と、
前記送出部から送出される遊技媒体の数を計数する遊技媒体計数部と、を備えることを特徴とする遊技機。
【発明の詳細な説明】
【技術分野】
【０００１】
本発明は、メダルやコインのような遊技媒体を利用して遊技を行う遊技機に関するものであり、詳細には、前記遊技媒体が投入される遊技媒体投入部を組み込んだ遊技機に関する。
【背景技術】
【０００２】
通常、上記したような遊技媒体（以下、「メダル」と称する）を投入することで遊技が開始される遊技機（例えば、スロットマシン、ルーレットゲーム装置、プッシャーゲーム装置等）には、遊技者がメダルを円滑に投入操作できるように、遊技媒体投入部（以下、「メダル投入装置」と称する）が組み込まれている。
【０００３】
例えば図５を参照して、スロットマシンに組み込まれる一般的なメダル投入装置２００について説明する。メダル投入装置２００は、メダルＣを１枚ずつ投入する開口２１０（投入口）と、この開口２１０の後方側に設けられた背面壁２２０と、この開口２１０の手前側で開口２１０に向けて上昇するような傾斜面によって構成されたメダルガイド部２３０とを備えており、メダルガイド部２３０に複数のメダルＣを起立状態に並べ、指で押し上げ操作することで、開口２１０にメダルＣを投入操作できるよう構成されている。
【０００４】
また、例えば、特許文献１には、メダルに粘着性のある汚れが付着しても、円滑に開口内に落下させるようにしたメダル投入装置が開示されている。この文献に開示されたメダル投入装置は、メダルが接触する部分であるメダルガイド部の表面や、開口の後方側に設けられた背面壁に突部を形成することでメダルと点接触するようにし、メダルに付着した汚れの影響を最小限にして、円滑にメダルを開口に投入できるよう構成されている。
【特許文献１】特開平８−２５２３５３号公報
【発明の開示】
【発明が解決しようとする課題】
【０００５】
上記したようなメダル投入装置は、メダルを起立した状態でメダルガイド部に載置し、傾斜に沿ってメダルを案内しつつ、開口に１枚ずつ投入する構成となっている。すなわち、遊技者は、メダルを起立状態にして円弧面状のメダルガイド部に載置し、傾斜面に沿って背面壁に向けて押さえ付けるように指で案内し、投入操作するようになっている。
【０００６】
ところで上記したような遊技機では、その機種や遊技態様等に応じて、多数枚のメダルを連続的に開口に投入操作するような場合がある。このような場合に、遊技者が多数枚のメダルを把持し、全てのメダルを起立させた状態で、１枚ずつ開口に投入しなければならず、遊技者はかかる操作に対して煩わしさを感じることがあった。
【０００７】
本発明は、上記した問題に基づいてなされたものであり、メダルを１枚ずつ開口部に投入することによる煩わしさを解消する遊技機を提供することを目的とする。
【課題を解決するための手段】
【０００８】
本発明では、以下のようなものを提供する。
【０００９】
（１）  筐体（例えば、後述の筐体２）と、前記筐体に形成され、遊技媒体が投入される遊技媒体投入部（例えば、後述のメダル投入装置１００）と、を備えた遊技機であって、前記遊技媒体投入部は、複数の遊技媒体（例えば、後述のメダルＣ）を同時に投入可能な開口部（例えば、後述の上端開口部１２１）と、前記開口部から複数同時に投入された遊技媒体の数を計数する計数手段（例えば、後述のメダルセンサ１０７、送出部１０３）と、を備えることを特徴とする遊技機。
【００１０】
（１）記載の遊技機によれば、筐体に設けられた遊技媒体投入部の開口部は、複数の遊技媒体を同時に投入可能に構成される。これにより、遊技者は複数の遊技媒体を同時に投入でき、１枚ずつ開口部に投入することによる煩わしさを解消できる。
【００１１】
（２）  （１）に記載の遊技機において、前記遊技媒体投入部は、前記開口部から複数同時に投入された遊技媒体を貯留する遊技媒体貯留部（例えば、後述のメダル貯留部１０２）を更に備え、前記計数手段は、前記遊技媒体貯留部の下端に設けられ、１の遊技媒体を収容する収容部（例えば、後述のメダル受孔１４３）が回転中心のまわりに環状に複数（例えば、４）形成された遊技媒体収容板（例えば、後述のメダルディスク１０４）と、前記遊技媒体収容板を前記回転中心を中心に回転させる回転駆動部（例えば、後述のモータ１０５）と、前記回転駆動部により前記遊技媒体収容板が回転することに応じて、前記収容部に収容された遊技媒体を前記筐体の内部に送出する送出部（例えば、後述のメダル送出口１０６、送出部１０３）と、前記送出部から送出される遊技媒体の数を計数する遊技媒体計数部（例えば、後述のメダルセンサ１０７）と、を備えることを特徴とする遊技機。
【００１２】
（２）記載の遊技機によれば、遊技媒体貯留部は、開口部から複数同時に投入された遊技媒体を貯留し、貯留した複数の遊技媒体は遊技媒体貯留部の下端に設けられた遊技媒体収容板の収容部に１ずつ収容される。収容部に収容された遊技媒体は、遊技媒体収容板が回転することに応じて、筐体の内部に送出され、送出された遊技媒体は遊技媒体計数部により計数される。これにより、遊技者により複数同時に投入された遊技媒体を確実に計数できるため、遊技者が不満を感じることがない。
【発明の効果】
【００１３】
本発明の遊技機によれば、筐体に設けられた遊技媒体投入部の開口部は、複数の遊技媒体を同時に投入可能なように構成される。これにより、遊技者は複数の遊技媒体を同時に投入でき、１枚ずつ開口部に投入することによる煩わしさを解消できる。
【発明を実施するための最良の形態】
【００１４】
以下、実施例の遊技機について説明する。
【００１５】
図１は、本発明の一実施例の遊技機１の外観を示す斜視図である。遊技機１は、いわゆるパチスロ機である。この遊技機１は、コイン、メダル、又は遊技球等の遊技媒体を用いて遊技する遊技機であるが、以下ではメダルを用いるものとして説明する。
【００１６】
筐体２の正面には、略垂直面としてのパネル表示部２ａ、液晶表示部２ｂ及び固定表示部２ｃが形成されている。パネル表示部２ａは、７セグメントＬＥＤからなり、種々の情報を表示する複数の表示部を備える領域である。液晶表示部２ｂは、リール３Ｌ，３Ｃ，３Ｒ上に配置された図柄の表示や、種々の演出表示を行う領域である。固定表示部２ｃは、予め定めた図、絵等が描かれる領域である。
【００１７】
また、筐体２には、遊技に必要な複数種類の図柄が各々の外周面に描かれた図柄表示手段としての３個のリール３Ｌ，３Ｃ，３Ｒが、回転自在に横一列に設けられている。各リール３Ｌ，３Ｃ，３Ｒは、図示しないステッピングモータが接続されており、これにより、一定の速度で回転可能となっている（例えば、８０回転／分）。
【００１８】
パネル表示部２ａ、液晶表示部２ｂ及び固定表示部２ｃの下方には略水平面の台座部４が形成されている。台座部４の右側には、メダルを投入するためのメダル投入装置１００が設けられている。メダル投入装置１００は、その開口が台座部４の面と面一になるよう構成されている。メダル投入装置１００から、投入されたメダルは、クレジットされるか、ゲームに賭けられる。
【００１９】
また、台座部４の左側には、押下操作により、クレジットされているメダルを賭けるための１−ＢＥＴスイッチ１１、２−ＢＥＴスイッチ１２、及び最大ＢＥＴスイッチ１３が設けられている。
【００２０】
１−ＢＥＴスイッチ１１は、１回の押し操作により、クレジットされているメダルのうちの１枚がゲームに賭けられ、２−ＢＥＴスイッチ１２は、１回の押し操作により、クレジットされているメダルのうちの２枚がゲームに賭けられ、最大ＢＥＴスイッチ１３は、１回のゲームに賭けることが可能な最大枚数のメダルが賭けられる。
【００２１】
これらのＢＥＴスイッチ１１〜１３を操作することで、所定の表示ラインが有効化される。ＢＥＴスイッチ１１〜１３の操作及びメダル投入装置１００にメダルを投入する操作（遊技を行うためにメダルを投入する操作）を、以下「ＢＥＴ操作」という。また、ＢＥＴスイッチ１１〜１３の上方には、操作部１７が設けられている。操作部１７は、液晶表示部２ｂに遊技履歴等の情報を表示するために操作される。
【００２２】
台座部４の前面部の左寄りには、遊技者がゲームで獲得したメダルのクレジット／払出しを押しボタン操作で切り換えるＣ／Ｐスイッチ１４が設けられている。このＣ／Ｐスイッチ１４の切り換えにより、正面下部のメダル払出口１５からメダルが払出され、払出されたメダルはメダル受け部５に溜められる。メダル受け部５の上方の左右には、遊技の演出に関する効果音等を出音するスピーカ９Ｌ，９Ｒが設けられている。
【００２３】
Ｃ／Ｐスイッチ１４の右側には、遊技者の操作により上記リールを回転させ、図柄表示領域２１Ｌ，２１Ｃ，２１Ｒ内での図柄の変動表示を開始するための開始操作手段としてのスタートレバー６が所定の角度範囲で回動自在に取り付けられている。
【００２４】
台座部４の前面部中央で、スタートレバー６の右側には、遊技者が操作可能な停止操作手段としての停止ボタンユニット２４が設けられている。停止ボタンユニット２４は、遊技者が３個のリール３Ｌ，３Ｃ，３Ｒの回転をそれぞれ停止させるための３個の停止操作部としての停止ボタン７Ｌ，７Ｃ，７Ｒを備える。
【００２５】
なお、実施例では、一のゲーム（単位遊技）は、基本的にスタートレバー６が操作されることにより開始し、全てのリール３Ｌ，３Ｃ，３Ｒが停止したときに終了する。
【００２６】
図２及び図３を参照して、メダル投入装置１００について説明する。
図２（ａ）は、メダル投入装置１００の平面図であり、図２（ｂ）はメダル投入装置１００の側面図である。また、図３はメダル投入装置１００の断面図である。
【００２７】
メダル投入装置１００は、図２（ｂ）に示すように上方から投入されたメダルＣを貯留するメダル貯留部１０２と、メダル貯留部１０２に貯留されたメダルＣをメダル送出口１０６から１枚ずつメダル経路１３０に送り出す送出部１０３と、から構成される。
【００２８】
メダル貯留部１０２は、図３に示すように、メダルＣが投入される略四角筒状の上端開口部１２１と、この上端開口部１２１の下縁から内方に向けて徐々に傾斜する傾斜面１２２とを有し、全体として上端開口部１２１から下端にかけてすぼんだ形状を呈している。また、メダル貯留部１０２は、傾斜面１２２の１つにメダルディスク１０４を取り付けるための取付孔１２３が開口している。
【００２９】
上端開口部１２１は、図２（ａ）に示すように４つの辺１２１ａ、１２１ｂ、１２１ｃ、１２１ｄで構成され、平面視で略四角形状に形成される。実施例では、上端開口部１２１の辺１２１ａ〜１２１ｂは、メダルＣの外径よりも長くなるように形成されている。より具体的には、メダルＣの外径の４倍程度の長さで形成される。これにより、遊技者は上端開口部１２１に複数のメダルＣを同時に投入できる。
【００３０】
再び図３を参照して、送出部１０３は、メダル貯留部１０２に貯留されたメダルＣを順次搬送するメダルディスク１０４と、メダルディスク１０４を回転させるモータ１０５と、メダルディスク１０４で搬送されたメダルＣをメダル送出口１０６からメダル経路１３０に送り出す図示しないメダル送出装置と、を備える。また、送出部１０３は、メダル送出口１０６から送り出されるメダルＣを検出し計数するメダルセンサ１０７も備える（図２（ｂ）参照）。
【００３１】
図４は、メダルディスク１０４の拡大斜視図である。図４に示すように、メダルディスク１０４は、円板の上面中央部に上方に向けて膨出した膨出部１４１を有するとともに、周縁部に沿って突縁１４２を有する。また、メダルＣを収容する４個のメダル受孔１４３が、膨出部１４１のまわりに互いに所定間隔離間して、膨出部１４１を中心として環状に形成されている。
【００３２】
膨出部１４１は、上方から落下してきたメダルＣが膨出部１４１のまわりに形成されたメダル受孔１４３に滑り落ちるように、中央部から外縁に掛けてなだらかに傾斜している。つまり、膨出部１４１は、平面視略円形状を呈した平坦な上端面１４１ａと、この上端面１４１ａの周縁からメダルディスク１０４の周縁側に向けてなだらかに傾斜した傾斜面１４１ｂとを備えており、膨出部１４１に落下してきたメダルＣが傾斜面１４１ｂ上をメダル受孔１４３に向けて滑り落ちるようになっている。メダル受孔１４３は、図４に示すように、メダルＣの外径よりもやや大きな径を有している。そのため、１つのメダル受孔１４３には、メダルＣが１枚のみ収容される。
【００３３】
膨出部１４１の中央部の下面側には、図３に示すように、ディスク回転軸１４５が取り付けられている。ディスク回転軸１４５にはモータ出力軸１５１に噛み合う歯車１４６が嵌着されており、この歯車１４６を介して伝達されたモータ１０５の駆動力により、メダルディスク１０４はディスク回転軸１４５を中心として、一定方向に一定速度で回転させられる。この回転により、メダル受孔１４３は、その回転軌道上に配設された図示しないメダル送出装置まで移動し、収容したメダルＣがメダル送出口１０６から１枚ずつ送出される。
【００３４】
また、メダルディスク１０４には、メダルディスク１０４の回転中心部である膨出部１４１から突縁１４２にわたって突出する突部１４４が形成されている。突部１４４は、メダルディスク１０４の突縁１４２から膨出部１４１を構成する傾斜面１４１ｂの下縁部に掛けて形成されている。この突部１４４は、メダルディスク１０４の回転動作に伴い、メダル受孔１４３に収容されるメダルＣの上面に位置するメダルＣを、隣接するメダル受孔１４３に収容させる。
【００３５】
次に、メダル投入装置１００の動作について説明する。
【００３６】
初めに、上端開口部１２１にメダルＣが複数同時に投入される。ここで、上端開口部１２１の辺１２１ａ〜１２１ｄは、メダルＣの外径よりも長くなるように形成されているため、遊技者はメダルＣを起立させずに、複数同時に投入できる。
【００３７】
投入された複数のメダルＣは傾斜面１２２に沿って落下し、メダル貯留部１０２の下端に貯留される。貯留された複数のメダルＣは、取付孔１２３に取り付けられたメダルディスク１０４のメダル受孔１４３に収容される。この際、１つのメダル受孔１４３に複数のメダルＣが配置される場合、１枚のメダルＣ以外のメダルＣは、メダルディスク１０４の回転に伴い突部１４４に押し出される。そのため、１つのメダル受孔１４３にはメダルＣが１枚収容される。
【００３８】
メダル受孔１４３に収容された１枚のメダルＣは、モータ１０５の駆動によってメダルディスク１０４が一定方向に一定速度で回転させられると、メダルディスク１０４の回転に伴って一定速度で移動する。そして、１枚のメダルＣは、図示しないメダル送出口１０６からメダル経路１３０に送出される。メダル経路１３０に送出された１枚のメダルＣは、メダルセンサ１０７で検出され、遊技機１が備えるメモリの所定の領域に記憶されることにより計数される。
【００３９】
このように本実施例の遊技機１では、複数のメダルＣを同時に投入できる。この際、遊技者は複数のメダルＣを起立させる必要がなく、把持した複数のメダルＣをそのまま上端開口部１２１に投入できる。そのため、遊技者は把持した複数のメダルＣを手の中で起立させるという作業を行わずにすむ。また、遊技者は、メダルＣを１枚ずつ投入することによる煩わしさを感じることがない。さらに、複数同時に投入したメダルＣは、１枚ずつ確実に計数されるため、遊技者が不満を感じることがない。
【００４０】
以上、実施例について説明したが、本発明はこれに限られるものではない。
【００４１】
例えば、メダル貯留部１０２に第２メダルセンサを設け、この第２メダルセンサがメダルを検出した場合にのみ、モータ１０５を駆動させるようにしてもよい。これにより、モータ１０５を常に駆動させる必要がないため、消費電力を抑えることができる。
【図面の簡単な説明】
【００４２】
【図１】遊技機の外観を示す斜視図。
【図２】メダル投入装置の平面図及び側面図。
【図３】メダル投入装置の断面図。
【図４】メダルディスクの平面図。
【図５】従来のメダル投入装置を示す図。
【符号の説明】
【００４３】
１    遊技機
２    筐体
４    台座部
１００    メダル投入装置
１０２    メダル貯留部
１０３    メダル送出部
１２１    上端開口部
【図１】
2008113676.tif 000003
【図２】
2008113676.tif 000004
【図３】
2008113676.tif 000005
【図４】
2008113676.tif 000006
【図５】
2008113676.tif 000007